(57)【要約】【課題】複数枚が継ぎ合わされた施工状態において継合せ箇所やそのズレが目立つことを抑制するのに適した建築板を提供する。【解決手段】本発明の建築板Ｘは、第１方向Ｄ１に延びる一対の縁端Ｅ１,Ｅ２と第１方向Ｄ１に交差する第２方向Ｄ２に延びる一対の縁端Ｅ３,Ｅ４とによって外郭形状が規定され、且つ、意匠面Ｓを有する。建築板Ｘは、その意匠面Ｓに、複数の目地溝１０と、複数の目地溝２０と、これら目地溝１０,２０によって外郭形状が規定される意匠凸部３０とを有する。各目地溝１０は、第１方向Ｄ１に延びる通し目地である。各目地溝２０は、第２方向Ｄ２に延び、少なくとも一本の目地溝１０と繋がる。複数の目地溝１０は、浅目地域１１ａとこれより深い浅目地域１１ｂとを含む少なくとも一本の浅目地溝１１、および、これより深い少なくとも一本の深目地溝１２を含む。【選択図】図１
2020165127.tif 000002
【特許請求の範囲】
【請求項１】
第１方向に延びる一対の第１縁端と前記第１方向に交差する第２方向に延びる一対の第２縁端とによって外郭形状が規定され且つ意匠面を有する建築板であって、
前記意匠面において、前記第１方向に延びる通し目地である複数の第１目地溝と、第２方向に延びて少なくとも一本の第１目地溝と繋がる複数の第２目地溝と、当該第１および第２目地溝によって外郭形状が規定される複数の意匠凸部とを有し、
前記複数の第１目地溝は、第１浅目地域とこれより深い第２浅目地域とを含む少なくとも一本の浅目地溝、および、当該浅目地溝より深い少なくとも一本の深目地溝を含む、建築板。
【請求項２】
一の第２目地溝を介して隣り合い、且つ、共通に面する第１目地溝のうち少なくとも一方の有する溝底となす境界線が前記第２方向に互いに位置ずれしている、一対の意匠凸部を有する、請求項１に記載の建築板。
【請求項３】
前記複数の意匠凸部は、前記第２方向に延びる線状目地を有する意匠凸部を含む、請求項１または２に記載の建築板。
【請求項４】
前記線状目地を有する意匠凸部は、前記線状目地を介して隣り合う二つの部分凸部を有し、当該二つの部分凸部は、共通に面する第１目地溝のうち少なくとも一方の有する溝底となす境界線が前記第２方向において互いに位置ずれしている、請求項３に記載の建築板。
【請求項５】
各第１目地溝は、前記第１方向の一方端と他方端において、前記第２方向の長さが同一の溝底を有する、請求項１から４のいずれか一つに記載の建築板。
【請求項６】
前記複数の第１目地溝は、第１浅目地域と、これより深い第２浅目地域と、前記第１浅目地域より深く且つ前記第２浅目地域より浅い第３浅目地域と、を含む少なくとも一本の浅目地溝を含む、請求項１から５のいずれか一つに記載の建築板。
【請求項７】
前記複数の第１目地溝は、第１深目地域とこれより深い第２深目地域とを含む少なくとも一本の深目地溝を含む、請求項１から６のいずれか一つに記載の建築板。
【発明の詳細な説明】
【技術分野】
【０００１】
本発明は、建築物の外装仕上げや内装仕上げに用いることのできる建築用の板材すなわち建築板に関する。
【背景技術】
【０００２】
建築物の外壁部や内壁部を構成するための建築用板材として、窯業系サイディングボードや金属系サイディングボードなど、所定の意匠面を有する建築板が用いられることがある。建築板を用いての壁部の施工にあたっては、複数枚の建築板が上下方向や左右方向に継ぎ合わされる。そのような建築板の意匠面には、レンガ調模様の意匠面や、タイル調模様の意匠面、石積み調模様の意匠面などがある。このような建築板に関する技術については、例えば下記の特許文献１,２に記載されている。
【先行技術文献】
【特許文献】
【０００３】
【特許文献１】特開２０１２−１０７４７０号公報
【特許文献２】特開２０１５−１４０６０７号公報
【発明の概要】
【発明が解決しようとする課題】
【０００４】
壁部構成用の上述のような建築板には、複数枚が継ぎ合わされた施工状態において継合せ箇所やそのズレが目立たないことが、求められる。
【０００５】
本発明は、このような事情のもとで考え出されたものであり、その目的は、複数枚が継ぎ合わされた施工状態において継合せ箇所やそのズレが目立つことを抑制するのに適した建築板を提供することにある。
【課題を解決するための手段】
【０００６】
本発明により提供される建築板は、第１方向に延びる一対の第１縁端と第１方向に交差する第２方向に延びる一対の第２縁端とによって外郭形状が規定され、且つ意匠面を有する。第１および第２方向は好ましくは直交する。
【０００７】
本建築板は、その意匠面に、複数の第１目地溝と、複数の第２目地溝と、これら目地溝によって外郭形状が規定される意匠凸部とを有する。第１目地溝および第２目地溝は、本建築板の意匠面に形成された擬似的な目地溝である。
【０００８】
各第１目地溝は、第１方向に延びる通し目地であり、本建築板の複数枚がそれらの第２縁端を介して一続きに継ぎ合わされた状態で当該複数の建築板にわたって延びる一本の通し目地の一部をなすように、配されている。複数の第１目地溝は、第１浅目地域とこれより深い第２浅目地域とを含む少なくとも一本の浅目地溝、および、当該浅目地溝より深い少なくとも一本の深目地溝を含む。
【０００９】
各第２目地溝は、第２方向に延び、少なくとも一本の第１目地溝と繋がる。意匠面における複数の第２目地溝には、一の第１目地溝から他の第１目地溝に至るように第２方向に延びる第２目地溝が含まれてもよい。また、複数の第２目地溝には、一の第１目地溝から他の第１目地溝までの間で少なくとも一本の第１目地溝と交差する第２目地溝が含まれてもよい。
【００１０】
以上のような構成の本建築板を用いての壁部の施工にあたっては、複数枚の本建築板が上下方向（縦方向）や左右方向（横方向）に継ぎ合わされる。
【００１１】
上記のように、本建築板の意匠面には、複数の第１目地溝が通し目地として形成され、且つ、複数の第１目地溝には、溝深さが異なる浅目地溝と深目地溝が含まれる（複数の第１目地溝は、すべてに共通する溝深さを有しているのではない）。本建築板の二枚がそれらの第１縁端を介して例えば上下方向に継ぎ合わされた状態において、その継合せ箇所（第１継合せ箇所）に、第１方向に延びる通し目地として目地溝が形成される場合、その目地溝は、本建築板の意匠面における各第１目地溝（通し目地）に似ている。
【００１２】
第１継合せ箇所における通し目地としての目地溝、および、意匠面における通し目地としての複数の第１目地溝は、第２方向に相互に離隔して並列し、且つ、溝深さが共通していない。そのため、第１継合せ箇所に通し目地として目地溝が形成される場合の当該目地溝は、目立つことが抑制される。すなわち、本建築板の意匠面における複数の第１目地溝は、第１継合せ箇所に目地溝が形成される場合に、当該目地溝が目立つことを抑制し、ひいては、第１継合せ箇所そのものが目立つことを抑制する。
【００１３】
また、本建築板の二枚がそれらの第２縁端を介して例えば左右方向に継ぎ合わされた状態において、その継合せ箇所（第２継合せ箇所）に、第２方向に延びる目地溝が形成される場合、その目地溝は、意匠面において同じく第２方向に延びる各第２目地溝に似ている。そのため、本建築板の意匠面における複数の第２目地溝は、第２継合せ箇所に目地溝が形成される場合に、当該目地溝が目立つことを抑制し、ひいては、第２継合せ箇所そのものが目立つことを抑制する。
【００１４】
加えて、本建築板の第１目地溝には、上記のように、深さ変化が付けられている浅目地溝が含まれる。浅目地溝における深さ変化ないし段差は、上述の第２継合せ箇所において隣接した建築板間に厚さ方向のズレが生じた場合に形成される段差に似ている。しかも、複数の第１目地溝において深目地溝より浅い浅目地溝における深さ変化ないし段差は、目立ちやすい。このような浅目地溝における深さ変化は、第２継合せ箇所で隣接した建築板間に厚さ方向のズレが生じた場合に形成される段差が目立つことを抑制する。
【００１５】
更に、上述の第２継合せ箇所において隣接した建築板間に第２方向のズレが生じた結果、隣接した建築板の意匠面間に第２方向の段差又は位置ずれが生じた場合に、浅目地溝における深さ変化ないし段差は、その段差又は位置ずれが目立つことを抑制する。また隣接した建築板間に第２方向Ｄ２のズレが生じていない場合でも、浅目地溝における深さ変化ないし段差は第２継合せ箇所に集まるべき注目を分散させ、第２継合せ箇所の目立ちを抑制する。
【００１６】
以上のように、本発明の建築板は、複数枚が継ぎ合わされた施工状態において継合せ箇所やそのズレが目立つことを抑制する効果を有する。
【００１７】
好ましくは、本建築板は、一の第２目地溝を介して隣り合い、且つ、共通に面する第１目地溝のうち少なくとも一方の有する溝底となす境界線が第２方向に互いに位置ずれしている、一対の意匠凸部を有する。第２目地溝を介して隣り合う意匠凸部間におけるこのような位置ずれ形状は、上述の第２継合せ箇所で隣接した建築板間に第２方向のズレが生じた場合の、当該継合せ箇所で第２方向に延びる目地溝を介して隣り合う二つの意匠凸部間の位置ずれ形状に似ており、それが目立つのを抑制する。
【００１８】
好ましくは、複数の意匠凸部は、第２方向に延びる線状目地を有する意匠凸部を含む。本発明において、線状目地とは、意匠凸部の外観につき第１方向における非連続性を生じさせる線状の区切りであり、例えば、意匠凸部において線状目地を介して隣り合う部分間に建築板厚さ方向の段差を生じさせる区切りである。このような区切りとしての線状目地は、上述の第２継合せ箇所において隣接した建築板間に厚さ方向のズレが生じた場合に形成される段差など第１方向における非連続的形状に似ており、従って、それが目立つことを抑制する。
【００１９】
好ましくは、線状目地を有する意匠凸部は、線状目地を介して隣り合う二つの部分凸部を有し、当該二つの部分凸部は、共通に面する第１目地溝のうち少なくとも一方の有する溝底となす境界線が第２方向において互いに位置ずれしている。線状目地を介して隣り合う部分凸部間のこのような位置ずれ形状は、上述の第２継合せ箇所で隣接した建築板間に第２方向のズレが生じた場合の、当該箇所の継ぎ目（第２方向に延びる）を介して隣り合う二つの意匠凸部間の位置ずれ形状に似ており、それが目立つのを抑制する。
【００２０】
好ましくは、各第１目地溝は、第１方向の一方端と他方端において、第２方向の長さが同一の溝底を有する。このような構成は、上述の第２継合せ箇所において、一方の建築板の各第１目地溝と他方の建築板の各第１目地溝とが合わさって連続する通し目地をなすようにするのに適し、従って、第２継合せ箇所が目立つことを抑制する。
【００２１】
好ましくは、複数の第１目地溝は、第１浅目地域と、これより深い第２浅目地域と、第１浅目地域より深く且つ第２浅目地域より浅い第３浅目地域と、を含む少なくとも一本の浅目地溝を含む。このような構成は、上述の第２継合せ箇所で隣接した建築板間に厚さ方向のズレが生じた場合に形成される段差が目立つことを抑制する。
【００２２】
好ましくは、複数の第１目地溝は、第１深目地域とこれより深い第２深目地域とを含む少なくとも一本の深目地溝を含む。このような構成は、上述の第２継合せ箇所で隣接した建築板間に厚さ方向のズレが生じた場合に形成される段差が目立つことを抑制する。
【図面の簡単な説明】
【００２３】
【図１】本発明の一の実施形態に係る建築板の平面図である。
【図２】図１に示す建築板の第２方向に延びる一縁端を表す側面図（一部省略側面図）である。
【図３】図１に示す建築板の第１方向に延びる一縁端を表す側面図（一部省略側面図）である。
【図４】第１目地溝における各所の断面図である。（ａ）は浅目地溝の第１浅目地域の断面を表し、（ｂ）は浅目地溝の第２浅目地域の断面を表し、（ｃ）は浅目地溝の第３浅目地域の断面を表し、（ｄ）は深目地溝の断面を表す。
【図５】浅目地溝の深さ変化の一例を表す断面図である。
【図６】深目地溝に深さ変化が付けられている場合の一例を表す断面図である。
【図７】図１に示す建築板の部分拡大平面図である。
【図８】図１に示す建築板の他の部分拡大平面図である。
【図９】二枚の建築板がそれらの第１縁端を介して継ぎ合わされた状態における当該第１縁端およびその近傍の断面図である。
【図１０】二枚の建築板がそれらの第１縁端を介して継ぎ合わされた状態における当該第１縁端およびその近傍の平面図である。
【図１１】二枚の建築板がそれらの第２縁端を介して継ぎ合わされた状態における当該第２縁端およびその近傍の断面図である。
【図１２】二枚の建築板がそれらの第２縁端を介して継ぎ合わされた状態における当該第２縁端およびその近傍の平面図である。
【図１３】本実施形態の複数の建築板による壁部の施工構造を表す。
【発明を実施するための形態】
【００２４】
図１から図３は、本発明の一の実施形態に係る建築板Ｘを表す。図１は、建築板Ｘの平面図である。図２は、建築板Ｘの一の側面図（一部省略側面図）である。図３は、建築板Ｘの他の側面図（一部省略側面図）である。
【００２５】
建築板Ｘは、建築物の外壁部や内壁部を構成するための建築用板材であり、図１に表れているように、第１方向Ｄ１に延びる一対の第１縁端である縁端Ｅ１,Ｅ２と、第１方向に交差する第２方向Ｄ２に延びる一対の第２縁端である縁端Ｅ３,Ｅ４とによって外郭形状が規定され、且つ意匠面Ｓを有する。第１方向Ｄ１および第２方向Ｄ２は、本実施形態では直交する。建築板Ｘを用いての壁部の施工にあたっては、複数枚の建築板Ｘが上下方向（縦方向）や左右方向（横方向）に継ぎ合わされる。
【００２６】
建築板Ｘの第１方向Ｄ１の寸法は、例えば約１８２０〜約３０３０ｍｍである。建築板Ｘの第１方向Ｄ２の寸法は、例えば約４５５〜約９１０ｍｍである。建築板Ｘの厚さは、例えば約１４〜約２６ｍｍである。また、建築板Ｘは、例えばセメント板、コンクリート板、または木質板である。
【００２７】
建築板Ｘは、その意匠面Ｓに、複数の目地溝１０（第１目地溝）と、複数の目地溝２０（第２目地溝）と、これら目地溝１０,２０によって外郭形状が規定される複数の意匠凸部３０とを有する。目地溝１０,２０は、建築板Ｘの意匠面Ｓにおいて擬似的な目地溝をなすように形成された溝である。
【００２８】
各目地溝１０は、第１方向Ｄ１に延びる通し目地である。各目地溝１０は、例えば二枚の建築板Ｘが一方の建築板Ｘの第２縁端Ｅ３と他方の建築板Ｘの第２縁端Ｅ４とを介して一続きに継ぎ合わされた状態で、当該二枚の建築板Ｘにわたって延びる一本の通し目地の一部をなすように配されている。複数の当該目地溝１０は、本実施形態では、複数の浅目地溝１１および複数の深目地溝１２を含む。
【００２９】
複数の浅目地溝１１は、本実施形態では、浅目地域１１ａ（第１浅目地域）とこれより深い浅目地域１１ｂ（第２浅目地域）とを有するもの（第１タイプの浅目地溝）と、これらに加えて浅目地域１１ｃ（第３浅目地域）を有するもの（第２タイプの浅目地溝）とを含む。浅目地域１１ｃは、浅目地域１１ａより深く且つ浅目地域１１ｂより浅い。図１では、浅目地域１１ａを黒ベタで表し、浅目地域１１ｂを斜線ハッチングで表す。
【００３０】
このような浅目地溝１１の有する溝底Ｇｂの幅ｗ１（図４内に示す）すなわち第２方向Ｄ２における長さは、例えば１．０〜７．０ｍｍである。浅目地域１１ａの深さｄ１（図４（ａ）に示す）は例えば１．０〜５．０ｍｍである。浅目地域１１ｂの深さｄ２（図４（ｂ）に示す）は、深さｄ１より大きい限りにおいて、例えば３．０〜７．０ｍｍである。浅目地域１１ｃの深さｄ３（図４（ｃ）に示す）は、深さｄ１より大きく且つ深さｄ２より小さい限りにおいて、例えば２．０〜６．０ｍｍである。
【００３１】
浅目地溝１１において、その側壁Ｇｓ（図４内に示す）が溝底Ｇｂとなす傾斜角度（第１傾斜角度）は、本実施形態では９０°以下であり、例えば６０°である。浅目地溝１１において、浅目地域１１ａ,１１ｂ間の境界をなす斜面Ｇｄ（図５に示す）が溝底Ｇｂとなす傾斜角度（第２傾斜角度）は、本実施形態では９０°以下であり、例えば６０°である。
【００３２】
深目地溝１２は、本実施形態では浅目地溝１１より深い（浅目地域１１ａ,１１ｂ,１１ｃより深い）。図１では、深目地溝１２を縦ハッチングで表す。深目地溝１２の有する溝底Ｇｂの幅ｗ２（図４（ｄ）に示す）すなわち第２方向Ｄ２における長さは、例えば１．０〜６．０ｍｍである。深目地溝１２の深さｄ４（図４（ｄ）に示す）は、上記の深さｄ１〜ｄ３より大きく設定されており、例えば７．０〜１１．０ｍｍである。
ただし、深目地溝１２は本実施形態の様に浅目地域１１ａ,１１ｂ,１１ｃの全てより深い必要はなく、最も浅い浅目地域１１ａの深さｄ１よりも深く設定されても良い。
【００３３】
複数の深目地溝１２は、図６に示すような深目地溝１２Ａを含んでもよい。深目地溝１２Ａは、深目地域１２ａ（第１深目地域）とこれより深い深目地域１２ｂ（第２深目地域）とを含む。深目地溝１２ａの深さｄ４'は例えば７．０〜９．０ｍｍであり、深目地溝１２ｂの深さｄ４”は、深さｄ４'より大きい限りにおいて、例えば９．０〜１１．０ｍｍである。
【００３４】
深目地溝１２において、その側壁Ｇｓ（図４（ｄ）に示す）が溝底Ｇｂとなす傾斜角度（第３傾斜角度）は、本実施形態では９０°以下であり、例えば６０°である。深目地溝１２Ａにおいて、深目地域１２ａ,１２ｂ間の境界をなす斜面Ｇｄ（図６に示す）が溝底Ｇｂとなす傾斜角度（第４傾斜角度）は、本実施形態では９０°以下であり、例えば６０°である。
【００３５】
本実施形態では、各目地溝１０は、第１方向Ｄ１の一方端と他方端（即ち縁端Ｅ１と縁端Ｅ２）において、第２方向Ｄ２の長さが同一の溝底Ｇｂを有する。具体的には、各浅目地溝１１の溝底Ｇｂの幅ｗ１は、当該浅目地溝１１の第１方向Ｄ１の一方端と他方端において同一であり、各深目地溝１２の溝底Ｇｂの幅ｗ２は、当該深目地溝１２の第１方向Ｄ１の一方端と他方端において同一である。
【００３６】
このような構成は、同一形状の複数枚の建築板Ｘがそれらの第２縁端を介して継ぎ合わされた状態において、一方の建築板Ｘの各目地溝１０と他方の建築板Ｘの各目地溝Ｘとが合わさって連続する通し目地をなすようにするのに適し、従って、その継合せ箇所が目立つことを抑制するのに適する。
【００３７】
本実施形態では、目地溝１０における第１方向Ｄ１の一方端での溝底Ｇｂの幅（第２方向Ｄ２の長さ）は、複数の目地溝１０の間で同一とはされていない。このような構成に代えて、目地溝１０における第１方向Ｄ１の当該一方端での溝底Ｇｂの幅は、複数の目地溝１０の間で同一とされてもよい。また、本実施形態では、目地溝１０における第１方向Ｄ１の他方端での溝底Ｇｂの幅（第２方向Ｄ２の長さ）は、複数の目地溝１０の間で同一とはされていない。このような構成に代えて、目地溝１０における第１方向Ｄ１の当該他方端での溝底Ｇｂの幅は、複数の目地溝１０の間で同一とされてもよい。
【００３８】
意匠面Ｓにおいて、各目地溝２０は、第２方向Ｄ２に延び、少なくとも一本の目地溝１０と繋がり、複数の目地溝２０には、一の目地溝１０から他の目地溝１０に至るように第２方向Ｄ２に延びる目地溝２０が含まれる。複数の目地溝２０には、本実施形態では、一の目地溝１０から他の目地溝１０までの間で少なくとも一本の目地溝１０と交差する目地溝２０が含まれる。また、複数の目地溝２０には、目地溝１０に対して直交せずに傾斜している目地溝２０が含まれてもよい。以上のような目地溝２０には、例えば、浅目地溝１１と同様に、溝の深さに変化が付けられていてもよい。
【００３９】
複数の意匠凸部３０には、線状目地３１を有する意匠凸部３０Ｂが複数含まれる。線状目地３１とは、意匠凸部３０の外観につき第１方向Ｄ１における非連続性を生じさせる線状の区切りであり、例えば、意匠凸部３０において線状目地３１を介して隣り合う部分３０ｂ（部分凸部）間に建築板厚さ方向の段差を生じさせる区切りである。線状目地３１は、例えば第２方向Ｄ２に延びる。
【００４０】
線状目地３１を介して隣り合う二つの部分３０ｂは、例えば図８に示すように、共通に面する目地溝１０のうち少なくとも一方の有する溝底Ｇｂとなす境界線Ｌ２,Ｌ２が第２方向Ｄ２において互いに位置ずれしていてもよい。
【００４１】
図２に示すように、建築板Ｘは、縁端Ｅ１とその近傍において、相決り継ぎ合わせのための上実構造部４１を有し、且つ、縁端Ｅ２とその近傍において、相決り継ぎ合わせのための下実構造部４２を有する。これら上実構造部４１および下実構造部４２には、相決り継ぎ合わせにおける部材間の隙間を埋めるためのシーリング部４３が設けられてもよい。本実施形態では、シーリング部４３は、下実構造部４２上に線状に設けられている。シーリング部４３は、例えばホットメルト等の接着剤である。
【００４２】
二枚の建築板Ｘはそれらの第１縁端（縁端Ｅ１,Ｅ２）を介して継ぎ合わせることができる。具体的には、一方の建築板Ｘの縁端Ｅ１側と他方の建築板Ｘの縁端Ｅ２側とを、図９に示すように相決りによって継ぎ合わせることができる。建築板Ｘの二枚がそれらの第１縁端（縁端Ｅ１,Ｅ２）を介して継ぎ合わされた状態においては、図１０に示すように、その継合せ箇所Ｃ１（図１０では破線で表す）に、第１方向Ｄ１に延びる通し目地として目地溝１０Ｍが形成される。このような目地溝１０Ｍが形成される寸法および形状で、上述の上実構造部４１および下実構造部４２は設計されている。
【００４３】
図３に示すように、建築板Ｘは、縁端Ｅ３とその近傍において、相決り継ぎ合わせのための上実構造部４４を有し、且つ、縁端Ｅ４とその近傍において、相決り継ぎ合わせのための下実構造部４５を有する。これら上実構造部４４および下実構造部４５には、相決り継ぎ合わせにおける部材間の隙間を埋めるためのシーリング部４６が設けられてもよい。本実施形態では、シーリング部４６は、下実構造部４５上に線状に設けられている。シーリング部４６は、例えばホットメルト等の接着剤である。
【００４４】
二枚の建築板Ｘはそれらの第２縁端（縁端Ｅ３,Ｅ４）を介して継ぎ合わせることができる。具体的には、一方の建築板Ｘの縁端Ｅ３側と他方の建築板Ｘの縁端Ｅ４側とを、図１１に示すように相決りによって継ぎ合わせることができる。建築板Ｘの二枚がそれらの第２縁端（縁端Ｅ３,Ｅ４）を介して継ぎ合わされた状態においては、図１２に示すように、その継合せ箇所Ｃ２（図１２では破線で表す）に、第２方向Ｄ２に延びる目地溝２０Ｍが形成される箇所がある。このような目地溝２０Ｍが形成される寸法および形状で、上述の上実構造部４４および下実構造部４６は設計されている。
【００４５】
以上のような構成を備える建築板Ｘを用いての壁部の施工にあたっては、複数枚の建築板Ｘが上下方向（縦方向）や左右方向（横方向）に継ぎ合わされる。具体的には、複数の建築板Ｘをそれらの第１縁端（縁端Ｅ１,Ｅ２）どうしを例えば上下方向に継ぎ合わせて連ね、且つ、複数の建築板Ｘをそれらの第２縁端（縁端Ｅ３,Ｅ４）どうしを例えば左右方向に継ぎ合わせて連ねる。
なお、複数の建築板Ｘを上下方向や左右方向に継ぎ合わせたときに、不陸等の影響で複数の建築板Ｘ間に隙間ができる場合は、例えば、シーリングで隙間を埋めても良い。
【００４６】
図１３は、複数の建築板Ｘによる壁部施工構造の一例を表す。図１３に示す壁部施工構造例では、各列二枚の建築板Ｘがそれらの第１縁端（縁端Ｅ１,Ｅ２）を介して上下方向（第２方向Ｄ２）に継ぎ合わされて連ねられ、且つ、各行二枚の建築板Ｘがそれらの第２縁端（縁端Ｅ３,Ｅ４）を介して左右方向（第１方向Ｄ１）に継ぎ合わされて連ねられている。
【００４７】
上述の構成を備える建築板Ｘは、複数枚が継ぎ合わされたこのような施工状態において（即ち、建築板Ｘによる壁部施工構造において）、継合せ箇所やそのズレが目立つことを抑制するのに適する。具体的には、次のとおりである。
【００４８】
建築板Ｘの意匠面Ｓには、上述のように、複数の目地溝１０が通し目地として形成され、且つ、複数の目地溝１０には、溝深さが異なる浅目地溝１１と深目地溝１２が含まれる（複数の目地溝１０は、すべてに共通する溝深さを有しているのではない）。図１０を参照しつつ上述したように、上下方向に隣接した建築板Ｘの間の継合せ箇所Ｃ１には、第１方向Ｄ１に延びる通し目地として目地溝１０Ｍが形成される。その目地溝１０Ｍは、意匠面Ｓにおける通し目地である各目地溝１０（浅目地溝１１，深目地溝１２）に似ている。
【００４９】
継合せ箇所Ｃ１における通し目地としての目地溝１０Ｍ、および、意匠面Ｓにおける通し目地としての複数の目地溝１０は、第２方向Ｄ２に相互に離隔して並列し、且つ、溝深さが共通していない。そのため、継合せ箇所Ｃ１における通し目地である目地溝１０Ｍは、目立つことが抑制される。すなわち、建築板Ｘの意匠面Ｓにおける複数の目地溝１０（浅目地溝１１，深目地溝１２）は、目地溝１０Ｍが目立つことを抑制し、ひいては、継合せ箇所Ｃ１そのものが目立つことを抑制する。
【００５０】
また、左右方向に隣接した建築板Ｘの間の継合せ箇所Ｃ２（図１２に示す）に形成される、第２方向Ｄ２に延びる上述の目地溝２０Ｍは、意匠面Ｓにおいて同じく第２方向Ｄ２に延びる各目地溝２０に似ている。そのため、建築板Ｘの意匠面Ｓにおける複数の目地溝２０は、継合せ箇所Ｃ２に形成される目地溝２０Ｍが目立つことを抑制し、ひいては、継合せ箇所Ｃ２そのものが目立つことを抑制する。
【００５１】
加えて、建築板Ｘの目地溝１０には、上述のように、深さ変化が付けられている浅目地溝１１が含まれる。浅目地溝１１における深さ変化ないし段差は、上述の継合せ箇所Ｃ２において隣接した建築板Ｘ間に厚さ方向のズレが生じた場合に形成される段差に似ている。しかも、複数の目地溝１０において深目地溝１２より浅い浅目地溝１１における深さ変化ないし段差は、目立ちやすい。このような浅目地溝１１における深さ変化は、継合せ箇所Ｃ２で隣接した建築板Ｘ間に厚さ方向のズレが生じた場合に形成される段差が目立つことを抑制する。
【００５２】
更に、上述の継合せ箇所Ｃ２において隣接した建築板Ｘ間に第２方向Ｄ２のズレが生じた結果、隣接した建築板Ｘの意匠面Ｓ間に第２方向Ｄ２の段差又は位置ずれが生じた場合に、浅目地溝１１における深さ変化ないし段差は、その段差又は位置ずれが目立つことを抑制する。また隣接した建築板Ｘ間に第２方向Ｄ２のズレが生じていない場合でも、浅目地溝１１における深さ変化ないし段差は継合せ箇所Ｃ２に集まるべき注目を分散させ、継合せ箇所Ｃ２の目立ちを抑制する。
【００５３】
図７を参照しつつ上述したように、建築板Ｘにおける複数の意匠凸部３０には、一の目地溝２０を介して隣り合い、且つ、共通に面する目地溝１０のうち少なくとも一方の有する溝底Ｇｂとなす境界線Ｌ１,Ｌ１が第２方向Ｄ２に互いに位置ずれしている、一対の意匠凸部３０Ａが含まれる。目地溝２０を介して隣り合う意匠凸部３０Ａ間におけるこのような位置ずれ形状は、上述の継合せ箇所Ｃ２にて隣り合う建築板Ｘに第２方向Ｄ２のズレが生じた場合の、当該箇所で第２方向Ｄ２に延びる目地溝２０Ｍを介して隣り合う意匠凸部３０間の位置ずれ形状に似ており、それが目立つのを抑制する。
【００５４】
また、建築板Ｘにおける複数の意匠凸部３０には、上述したように、線状目地３１（意匠凸部３０の外観につき第１方向Ｄ１における非連続性を生じさせる線状の区切り）を有する意匠凸部３０Ｂが複数含まれる。区切りとしての線状目地３０は、上述の継合せ箇所Ｃ２において隣り合う建築板Ｘに厚さ方向のズレが生じた場合に形成される段差など第１方向Ｄ１における非連続的形状に似ており、従って、それが目立つことを抑制する。
【００５５】
図８を参照しつつ上述したように、線状目地３１を介して隣り合う二つの部分３０ｂは、共通に面する目地溝１０のうち少なくとも一方の有する溝底Ｇｂとなす境界線Ｌ２,Ｌ２が第２方向Ｄ２において互いに位置ずれしていてもよい。線状目地３０を介して隣り合う部分３０ｂ（部分凸部）間のこのような位置ずれ形状は、上述の継合せ箇所Ｃ２で第２方向Ｄ２のズレが生じた場合の、当該箇所の継ぎ目（第２方向Ｄ２に延びる）を介して隣り合う意匠凸部３０（隣接した建築板Ｘの意匠凸部３０）間の位置ずれ形状に似ており、それが目立つのを抑制する。
【００５６】
以上のように、建築板Ｘは、複数枚が継ぎ合わされた施工状態において（即ち、建築板Ｘによる壁部施工構造において）、継合せ箇所やそのズレが目立つことを抑制できる。
【符号の説明】
【００５７】
Ｘ                    建築板
Ｅ１〜Ｅ４            縁端
Ｓ                    意匠面
Ｄ１                  第１方向
Ｄ２                  第２方向
１０                  目地溝（第１目地溝）
１１                  浅目地溝
１１ａ                浅目地域（第１浅目地域）
１１ｂ                浅目地域（第２浅目地域）
１１ｃ                浅目地域（第３浅目地域）
１２                  深目地溝
１２ａ                深目地域（第１深目地域）
１２ｂ                深目地域（第２深目地域）
Ｇｂ                  溝底
２０                  目地溝（第２目地溝）
３０，３０Ａ，３０Ｂ  意匠凸部
３０ｂ                部分（部分凸部）
３１                  線状目地
４１，４４            上実構造部
４２，４５            下実構造部
４３，４６            シーリング部
【図１】
2020165127.tif 000003
【図２】
2020165127.tif 000004
【図３】
2020165127.tif 000005
【図４】
2020165127.tif 000006
【図５】
2020165127.tif 000007
【図６】
2020165127.tif 000008
【図７】
2020165127.tif 000009
【図８】
2020165127.tif 000010
【図９】
2020165127.tif 000011
【図１０】
2020165127.tif 000012
【図１１】
2020165127.tif 000013
【図１２】
2020165127.tif 000014
【図１３】
2020165127.tif 000015